(57)【要約】【課題】  フード部が使用時には上昇し、不使用時には下降するレンジフードにおいて、簡易な構成により下降時の安全を図り、自己検査機能を有するレンジフードを提供する。【解決手段】  キャビネットに昇降自在に設けられる支持部２０と、支持部に支持され、使用時には上昇してキャビネットの天板１２と対向し、不使用時には下降して天板の近傍に配置されるフード部３０と、フード部と天板との間の物体を検知するセンサ２４と、を備え、支持部は、フード部との結合部２３近傍であってフード部が検知範囲に存しない位置に、センサの光学面２１を有し、センサの検知結果に基づき自己検査を行う自己検査部２２をさらに備え、自己検査部は、支持部が上昇する過程においてセンサを機能させている間前記フード部が通過した空間で前記センサが検知し続けることで、センサの光学面が汚れていることを検査するレンジフード１【選択図】  図１
2020106268.tif 000002
【特許請求の範囲】
【請求項１】
加熱調理器を有するキャビネットと、
前記キャビネットに昇降自在に設けられる支持部と、
前記支持部に支持され、使用時には上昇して前記キャビネットの天板と対向し、不使用時には下降して前記天板の近傍に配置されるフード部と、
前記フード部と前記天板との間の物体を検知するセンサと、
を備え、
前記支持部は、前記フード部との結合部近傍であって前記フード部が検知範囲に存しない位置に、前記センサの光学面を有し、
前記センサの検知結果に基づき自己検査を行う自己検査部をさらに備え、
前記自己検査部は、前記支持部が上昇する過程において前記センサを機能させている間前記フード部が通過した空間で前記センサが検知し続けることで、前記センサの前記光学面が汚れていることを検査するレンジフード。
【請求項２】
前記支持部が不使用時に下降して最下点の位置にあるとき、前記センサの少なくとも一部が、前記天板の上面より下にあり、
前記自己検査部は、前記支持部が前記最下点の位置から上昇し始める時に前記センサが前記天板を検知することで前記センサが正常に機能していることを検査することを特徴とする請求項１に記載のレンジフード。
【請求項３】
加熱調理器を有するキャビネットと、
前記キャビネットに昇降自在に設けられる支持部と、
前記支持部に支持され、使用時には上昇して前記キャビネットの天板と対向し、不使用時には下降して前記天板の近傍に配置されるフード部と、
前記フード部と前記天板との間の物体を検知するセンサと、
を備え、
前記支持部は、前記フード部との結合部近傍であって前記フード部が検知範囲に存しない位置に、前記センサの光学面を有し、
前記センサの検知結果に基づき自己検査を行う自己検査部をさらに備え、
前記支持部が不使用時に下降して最下点の位置にあるとき、前記センサの前記光学面の少なくとも一部が、前記天板の上面より下にあり、
前記自己検査部は、前記支持部が前記最下点の位置から上昇し始める時に前記センサが前記天板を検知することで前記センサが正常に機能していることを検査するレンジフード。
【発明の詳細な説明】
【技術分野】
【０００１】
本発明は、レンジフードに関し、特に、不使用時には一部をキャビネットに収納できるように昇降する部材を有するレンジフードに関する。
【背景技術】
【０００２】
台所などに設置されるレンジフードは、加熱調理器具で行われる調理等によって発生する湯気や油煙等を、送風機によって発生させた空気の流れとともに吸入し、清浄化後、吸入した空気と共に残った油煙等を屋外などへと排出するものである。
【０００３】
従来から、ダイニングキッチンと仕切り壁を持たないアイランドキッチンを中心に、調理時にはキャビネットから上昇させ、調理終了後の不使用時にはキャビネットに収納可能なレンジフードが知られている。
【０００４】
例えば、特許文献１には、キャビネットに対して上下昇降可能な支柱を２本有し、その２本の支柱上面に亘って吸込口等を有するフード部を備えたレンジフードが記載されている。このレンジフードは、調理時には支柱を上昇させることでフード部が調理器具の上方に位置し、調理によって発生する油煙等をフード部に設けられる吸込口から吸引し、屋外へ排気または浄化して屋内へ排出する。そして、調理終了後には支柱を下降させることでフード部で調理器上面を被蓋する。
【先行技術文献】
【特許文献】
【０００５】
【特許文献１】特許第２６１９４７１号公報
【発明の概要】
【発明が解決しようとする課題】
【０００６】
しかし、このようなレンジフードは、調理終了後のフード下降時には、身体の一部や調理中に置き忘れの鍋等がフード部とキャビネットとの間に挟まり、怪我をしたり物が破損したりする恐れがあった。
【０００７】
そこで、本発明は、上記問題に鑑みてなされたものであり、本発明の目的とするところは、フード部が使用時には上昇し、不使用時には下降するレンジフードにおいて、簡易な構成により下降時の安全を図り、かつその安全性を持続させるための自己検査機能を有するレンジフードを提供することにある。
【課題を解決するための手段】
【０００８】
上記課題を解決するために、加熱調理器を有するキャビネットと、前記キャビネットに昇降自在に設けられる支持部と、前記支持部に支持され、使用時には上昇して前記キャビネットの天板と対向し、不使用時には下降して前記天板の近傍に配置されるフード部と、前記フード部と前記天板との間の物体を検知するセンサと、を備え、前記支持部は、前記フード部との結合部近傍であって前記フード部が検知範囲に存しない位置に、前記センサの光学面を有し、前記センサの検知結果に基づき自己検査を行う自己検査部をさらに備え、前記自己検査部は、前記支持部が上昇する過程において前記センサを機能させている間前記フード部が通過した空間で前記センサが検知し続けることで、前記センサの前記光学面が汚れていることを検査するレンジフードが提供される。
これによれば、支持部が、フード部との結合部近傍であってフード部が検知範囲に存しない位置にセンサを有することで、支持部が下降する過程でセンサがフード部と天板との間の物体を検知するので、簡易な構成により下降時の安全を図ったレンジフードを提供することができる。また、フード部との結合部近傍のみに、即ち最低限の検知範囲のみを検知していることから、最小限のセンサで済み、コストを安くすることができる。
【０００９】
そして、センサの光学面に油等の汚れが付着していた場合には、支持部が上昇する過程でセンサを機能させた際センサの光学面に付着した汚れを検知しつづけることになるので、フード部が通過した空間でセンサが検知し続けることで、センサの光学面が汚れていることを検査することができる。また、レンジフードを使用状態にするためには必ず支持部が上昇するという構成を使用することで、簡易な構成により下降時の安全を図りかつその安全性を持続させるための自己検査することができる。
【００１０】
さらに、加熱調理器を有するキャビネットと、前記キャビネットに昇降自在に設けられる支持部と、前記支持部に支持され、使用時には上昇して前記キャビネットの天板と対向し、不使用時には下降して前記天板の近傍に配置されるフード部と、前記フード部と前記天板との間の物体を検知するセンサと、を備え、前記支持部は、前記フード部との結合部近傍であって前記フード部が検知範囲に存しない位置に、前記センサの光学面を有し、前記センサの検知結果に基づき自己検査を行う自己検査部をさらに備え、前記支持部が不使用時に下降して最下点の位置にあるとき、前記センサの前記光学面の少なくとも一部が、前記天板の上面より下にあり、前記自己検査部は、前記支持部が前記最下点の位置から上昇し始める時に前記センサが前記天板を検知することで前記センサが正常に機能していることを検査するレンジフードが提供される。
これによれば、センサが不良の場合、センサが天板の上面より下にあっても、センサが天板を検知することができないので、センサの少なくとも一部が天板の上面より下にあり、かつセンサがその天板を検知することでセンサが正常に機能していることを検査することができる。また、レンジフードを使用状態にするためには必ず支持部が上昇するという構成を使用することで、簡易な構成により自己検査することができる。
【発明の効果】
【００１１】
以上説明したように、本発明によれば、フード部が使用時には上昇し、不使用時には下降するレンジフードにおいて、簡易な構成により下降時の安全を図り、かつその安全性を持続させるための自己検査機能を有するレンジフードを提供することができる。
【図面の簡単な説明】
【００１２】
【図１】本発明に係るレンジフードの第一実施例における昇降部材が上昇した状態の、（Ａ）正面図、（Ｂ）平面図、（Ｃ）左側面図、（Ｄ）背面図。
【図２】本発明に係るレンジフードの第一実施例における昇降部材が上昇した状態の右上から見た斜視図。
【図３】本発明に係るレンジフードの第一実施例における昇降部材が下降した状態の、（Ａ）正面図、（Ｂ）平面図、（Ｃ）左側面図、（Ｄ）背面図。
【図４】本発明に係るレンジフードの第一実施例における昇降部材が下降した状態の右上から見た斜視図。
【図５】本発明に係るレンジフードの第一実施例における昇降部材が下降した状態の、（Ａ）図３（Ｃ）Ｉ−Ｉ断面における断面図、（Ｂ）図３（Ａ）ＩＩ−ＩＩ断面における断面図、（Ｃ）図３（Ｃ）Ｉ−Ｉ断面における結合部付近の拡大断面図、（Ｄ）図５（Ｂ）鎖線の領域の拡大断面図。
【発明を実施するための形態】
【００１３】
以下では、図面を参照しながら、本発明に係る各実施例について説明する。
＜第一実施例＞
図１および図２は、本発明に係る第一実施例において、使用時のレンジフード１を示し、図３および図４は、不使用時のレンジフード１を示す。レンジフード１は、キッチン等の床に載置されるキャビネット１０と、キャビネット１０の天板１２から一部が出没自在に昇降する昇降部材２と、昇降部材２の昇降を駆動する駆動装置６０と、キャビネット１０の中に配置され、空気の流れを発生させるファン５０と、空気の流れの流路上に配置される浄化装置７０とを備える。キャビネット１０の天板１２には、加熱調理器１１と、排出口１３と、加熱調理器１１の近傍であって右奥側に昇降部材２が出没する出没孔１４が備えられる。
【００１４】
ファン５０は、静圧の高いシロッコファンが望ましいが特に限定されることはない。また、浄化装置７０は、複数種類のフィルタから構成されることが好ましい。たとえば、空気の中に含まれる主に油脂分を除去するためのグリスフィルタ（グラスウール等の織布や不織布フィルタ、ラス網、スロットフィルタ、パンチングメタル等の金属製フィルタ）と、無機系イオンが吸着した消臭要素を添着加工した連続多孔質の発泡体からなるフィルタとから構成される。もちろん、浄化装置は、油煙等を含む空気から油脂分および臭気成分を除去できればよく、これに限定されるものではない。
【００１５】
昇降部材２は、使用時に加熱調理器１１のほぼ真上に位置し、不使用時には天板１２とわずかの隙間がある位置にあり、吸込口３１を有するフード部３０と、フード部３０を支持しほぼ一定の曲率半径を有し天板１２の出没孔１４から出没する支持部２０と、支持部２０をキャビネット１０の内部において支持し支持部２０を昇降させる作用部４０とを備える。
【００１６】
レンジフード１では、不使用時には、図３および図４に示すように、支持部２０の大部分が天板１２の上面ＳＦより下に没してキャビネット１０に収容されており、フード部３０は天板１２の上面奥側にその上面ＳＦとわずかな隙間をおいて近接した位置にあり、天板１２の近傍に配置される。ただし、フード部３０は、不使用時に天板１２の上面ＳＦと接していてもよい。
【００１７】
レンジフード１では、不使用状態において使用状態とするスイッチをオンにされると、伸縮自在の機構を有する駆動装置６０が、伸長することにより、キャビネット１０内の正面側上部で軸支されている作用部４０を押し上げて、作用部４０がほぼ水平になるまで昇降部材２全体を上昇させる。そうすると、支持部２０のほぼ全体が天板１２の上面ＳＦの上に出現し、昇降部材２のフード部３０は、加熱調理器１１の真上辺りに位置し、天板１２の上面と対向することとなる。レンジフード１は、フード部３０が加熱調理器１１の真上辺りに位置する所でロックしこの状態を維持し、ファン５０を稼働させて使用状態となる。
【００１８】
使用状態にあるレンジフード１は、ファン５０が発生させた空気の流れに従って、加熱調理器１１での調理等によって発生した湯気や油煙等を含む空気をフード部３０に設けられた吸込口３１から吸込む。吸込口３１から吸込まれた空気は、フード部３０と支持部２０およびキャビネット１０の内部に設けられた風路（図示せず）を通って、浄化装置７０に導かれる。浄化装置７０に導かれた空気は、そこで油煙等を取り除かれ、天板１２に設けられた排出口１３から排出される。もちろん、本実施例のように、排出口１３を通して、室内に清浄化された空気を循環するために戻してもよいし、清浄化された空気をダクトを通して室外に排気してもよい。
【００１９】
駆動装置６０は、逆に図１および２に示すレンジフード１の使用状態から、図３および４に示す不使用状態にする場合は、昇降部材２を下降させるために自ら短縮するように駆動する。または、駆動装置６０は、昇降部材２を下降する際には、ロックを外すのみであり、駆動装置６０の動力を用いず、昇降部材２の自重により短縮されるようにしてもよく、昇降部材２を下降させる際には負荷を生じさせてよいし、生じさせなくてもよい。たとえば、駆動装置６０は、上昇する方向にのみまたは上昇・下降両方向に駆動するリニアアクチュエータである。駆動装置６０が昇降部材２を下降させるように自ら短縮するように駆動する場合、後述するように、センサが物体を検知した際には、駆動装置６０は、自らの駆動を停止する。また、駆動装置６０が昇降部材２を自重で下降させる場合、駆動装置６０は、センサが物体を検知した際には、下降が停止するような機構を有する。
【００２０】
レンジフード１は、フード部３０と天板１２との間の物体を検知するセンサ２４（図５で図視）を備える。センサ２４は、使用状態から不使用状態になる昇降部材２が下降する際中に機能し、フード部３０が下降することでフード部３０と天板１２との間に挟まれる恐れのある物体の有無を検知する。センサ２４は、支持部２０において、フード部３０との結合部２３の近傍に光学面２１を備える。
【００２１】
センサ２４は、赤外線モーションセンサであり、センサ自身がＬＥＤなどの光学面から赤外線光を発光し、その反射光により、所定の距離内に人体などの物体が存在するか否かを検査する。ここで、所定の範囲とは、横幅方向（光学面２１に垂直な方向）において、フード部３０の横幅Ｗとほぼ等しい検査距離を有することが好ましい。
【００２２】
また、所定の範囲の縦幅方向（光学面２１に平行な方向）は、センサの仕様による検査幅となる。そして、光学面２１は、フード部３０との結合部２３の近傍であってフード部３０がセンサ２４の検知範囲に存しない位置に設けられる。すなわち、フード部３０と支持部２０とが結合されている結合部２３、換言すれば、フード部３０と支持部２０が形成する角部からセンサ２４の光学面２１の中心までの距離は、センサ２４の検査幅の約半分の長さよりわずかに長い距離である。
【００２３】
かかる所定範囲であれば、支持部２０が下降する過程でセンサ２４がフード部３０と天板１２との間であってフード部３０の下方近傍にある物体を検知するので、簡易な構成により下降時の安全を図ったレンジフード１を提供すると共に、光学面２１と一緒に下降するフード部３０が検知範囲に存しない位置にあることで、赤外線光がフード部３０に反射されて乱反射が起こった結果生じる誤動作を防止することができる。また、フード部３０との結合部近傍のみに、即ち最低限の検知範囲のみを検知していることから、最小限のセンサで済み、コストを安くすることができる。
【００２４】
図５を参照して、レンジフード１における自己検査（セルフチェック）について説明する。レンジフード１は、支持部２０において、フード部３０との結合部２３の近傍にセンサ２４の光学面２１を備える。センサ２４は、光学面２１から光学面２１のほぼ垂直方向へ赤外線光を発光、照射して、所定の範囲内の物体を検知する。支持部２０が不使用時に下降して最下点の位置にあるとき（図５が示す状態）、光学面２１は天板１２の上面ＳＦより下に位置する。
【００２５】
本実施例では、光学面２１の全体が天板１２の上面ＳＦより下に位置するが、センサ２４が天板１２の出没孔１４の側面を検知すればよいので、光学面２１の少なくとも一部が天板１２の上面ＳＦより下に位置すればよい。レンジフード１を不使用状態から使用状態にしようとする時に、光学面２１の少なくとも一部が天板１２の上面ＳＦより下に位置することで、センサ２４は、正常に機能しているならば天板１２の出没孔１４の側面を検知する。また、光学面２１を複数個設ける場合は、光学面２１各々の一部が天板１２の上面ＳＦより下に位置することが好ましい。なお、センサの素子自体に自己検査機能がある場合には、かかる構成を有する必要はない。
【００２６】
かかる構成を有する場合、レンジフード１は、自己検査部２２を備えることが好ましい。自己検査部２２は、センサ２４の検知結果を基に、センサ２４が正常に機能しているか否かを検査する。不使用状態において使用状態とするスイッチをオンにされた時、すなわち支持部２０が最下点の位置から上昇し始める時、自己検査部２２は、センサ２４を機能させて、センサ２４が天板１２を検知するか否かを検査する。センサ２４が天板１２の出没孔１４の側面を検知した場合、自己検査部２２は、センサ２４が正常に機能していると判定する。センサ２４が出没孔１４の側面を検知しなかった場合、自己検査部２２は、センサ２４が正常に機能していないと判定する。なお、不使用状態において使用状態とするスイッチをオンにされた時、支持部２０が最下点の位置から上昇し始める前に、自己検査部２２はセンサ２４を機能させて、センサ２４が天板１２を検知するか否かを検査しても良い。
【００２７】
これによれば、センサ２４が不良の場合、センサ２４が天板１２の上面ＳＦより下にあっても、センサ２４が天板１２を検知することができないので、センサ２４の少なくとも一部が天板１２の上面ＳＦより下にあり、かつセンサ２４が天板１２を検知することでセンサ２４が正常に機能していることを検査することができる。また、レンジフード１を使用状態にするためには必ず支持部２０が上昇するという構成を使用することで、簡易な構成により自己検査することができる。
【００２８】
また、自己検査部２２は、支持部２０が上昇する過程においてもセンサ２４を機能させる。そして、自己検査部２２は、支持部２０が上昇する過程であってセンサ２４を機能させている間、フード部３０が通過した空間でセンサ２４が何らかの物体を検知するか否かを検査する。上昇するフード部３０が通過した空間、すなわち、フード部３０の下側の空間には、フード部３０が通過したばかりなのだから、通常物体は存在しない。それにも拘わらず、センサ２４が何らかの物体を検知し続ける場合には、自己検査部２２は、センサ２４の光学面２１が汚れていると判定する。
【００２９】
これによれば、センサ２４の光学面２１に油等の汚れが付着していた場合には、支持部２０が上昇する過程であってセンサ２４を機能させている間、センサ２４の光学面２１に付着した汚れを検知しつづけることになる。従って、フード部３０が通過した空間でセンサが検知し続けることで、センサ２４の光学面２１が汚れていることを検査することができる。また、レンジフード１を使用状態にするためには必ず支持部２０が上昇するという構成を使用することで、簡易な構成により下降時の安全を図りかつその安全性を持続させるための自己検査することができる。
【００３０】
＜その他の実施例＞
なお、上記実施例では、フード部は１本の支持部に片持ちされているが、２本の支持部を両側に備えて両持ちであってもよい。また、上記実施例では、フード部は奥行き方向の幅はあまり大きくなく梁状であるが、奥行き方向の幅を大きくして、不使用時にはキャビネットの天板を覆うような蓋体であってもよい。また、上記実施例では、吸込口は、フード部のみに設けられていたが、支持部など別の個所に設けられていてもよい。
【００３１】
また、上記実施例では、加熱調理器を有するキャビネットの内部に風路、浄化装置、送風機が設けられ、キャビネットの天板に設けた出没孔から昇降部材が出没するように構成されている。しかし、加熱調理器を有するキャビネットと、風路、浄化装置、送風機、昇降部材をユニット化したレンジフードとを別体として構成し、かかるレンジフードをキャビネットに隣接して設置しても良い。この場合であっても、昇降部材のフード部は、使用時にはキャビネットの天板と対向し、不使用時にはキャビネットの天板の近傍に配置されるように構成される。
【００３２】
なお、本発明は、例示した実施例に限定するものではなく、特許請求の範囲の各項に記載された内容から逸脱しない範囲の構成による実施が可能である。即ち、本発明は、主に特定の実施形態に関して特に図示され、かつ説明されているが、本発明の技術的思想および目的の範囲から逸脱することなく、以上述べた実施形態に関し、形状、材質、数量、その他の詳細な構成において、当業者が様々な変形を加えることができるものである。従って、上記に開示した形状などを限定した記載は、本発明の理解を容易にするために例示的に記載したものであり、本発明を限定するものではないから、それらの形状等の限定の一部もしくは全部の限定を外した部材の名称での記載は、本発明に含まれるものである。
【符号の説明】
【００３３】
１      レンジフード
２      昇降部材
１０    キャビネット
１１    加熱調理器
１２    天板
１３    排出口
１４    出没孔
２０    支持部
２１    センサの光学面
２２    自己検査部
２３    結合部
２４    センサ
３０    フード部
３１    吸込口
４０    作用部
５０    ファン
６０    駆動装置
ＳＦ    天板の上面
【図１】
2020106268.tif 000003
【図２】
2020106268.tif 000004
【図３】
2020106268.tif 000005
【図４】
2020106268.tif 000006
【図５】
2020106268.tif 000007